【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
操作入力手段から操作入力信号が入力される情報処理装置のための情報処理装置用制御装置であって、
前記操作入力信号に対応する疑似操作入力信号を生成し得る疑似操作入力信号生成手段と、
前記操作入力手段が接続される第１入力端子と、
前記疑似操作入力信号生成手段が接続される第２入力端子と、
前記情報処理装置に接続される出力端子と、
前記第１入力端子または前記第２入力端子を択一的に前記出力端子に接続する切り替え手段と、
前記情報処理装置を使用するための対価を受け入れる対価識別手段が接続され、前記対価識別手段が対価を識別したときに識別信号が入力される対価識別手段接続端子と、
前記対価識別手段接続端子から前記識別信号が入力されたときに、前記情報処理装置の操作可能時間を計測するタイマー手段と、
を備え、
前記対価識別手段接続端子から前記識別信号が入力されたときに、前記切り替え手段における第１入力端子を前記出力端子に接続し、
前記タイマー手段が前記操作可能時間の終了を検出したときに、前記切り替え手段における第２入力端子を前記出力端子に接続するとともに、前記疑似操作入力信号によって前記情報処理装置の再起動シーケンスを実行し、
前記再起動シーケンスの終了後に前記切り替え手段の前記出力端子を開放する、
ことを特徴とする情報処理装置用制御装置。
【請求項２】
第１の操作入力手段から第１の操作入力信号が入力され、第２の操作入力手段から第２の操作入力信号が入力される情報処理装置のための情報処理装置用制御装置であって、
前記第１の操作入力信号に対応する疑似操作入力信号を生成し得る疑似操作入力信号生成手段と、
前記第１の操作入力手段が接続される第１入力端子と、
前記疑似操作入力信号生成手段が接続される第２入力端子と、
前記情報処理装置に接続される第１出力端子と、
前記第１入力端子または前記第２入力端子を前記第１出力端子に接続する第１の切り替え手段と、
前記第２の操作入力手段が接続される第３入力端子と、
前記情報処理装置に接続される第２出力端子と、
前記第３入力端子と前記第２出力端子との接続と開放を切り替える第２の切り替え手段と、
前記情報処理装置を使用するための対価を受け入れる対価識別手段と、
前記対価識別手段が接続され、前記対価識別手段が対価を識別したとき識別信号が入力される対価識別手段接続端子と、
前記対価識別手段接続端子から前記識別信号入力されたときに、前記情報処理装置の操作可能時間を計測するタイマー手段と、
を備え、
前記対価識別手段接続端子から前記識別信号が入力されたときに、前記第１切り替え手段における第１入力端子を前記第１出力端子に接続するとともに、前記第２切り替え手段の前記第３入力端子と前記第２出力端子とを接続し、
前記タイマー手段が前記操作可能時間の終了を検出したときに、前記第２切り替え手段の前記第３入力端子と前記第２出力端子とを開放し、前記第１切り替え手段における第２入力端子を前記第１出力端子に接続するとともに、前記疑似操作入力信号によって前記情報処理装置の再起動シーケンスを実行し、
前記再起動シーケンスの終了後に、前記第１切り替え手段の前記第１入力端子および前記第２入力端子と前記第１出力端子を開放すること、
を特徴とする情報処理装置用制御装置。
【請求項３】
前記タイマー手段は、
前記識別信号の始端から終端までの長さを検出し、
情報処理装置用制御装置は、
前記長さが第１の所定値よりも長いときに、前記対価識別手段で対価が受け入れに失敗したと判断すること、
を特徴とする請求項１または２に記載の情報処理装置用制御装置。
【請求項４】
情報処理装置用制御装置は、前記長さが第１の所定値よりも短くかつ第２の所定値より長いときに、前記対価識別手段で不正な対価挿入が行われたと判断することを特徴とする請求項３記載の情報処理装置用制御装置。
【請求項５】
情報処理装置と、
前記情報処理装置に第１の操作信号を入力する操作入力信号を入力する操作入力手段と、
該情報処理装置の操作を制御する情報処理装置用制御装置を含む情報処理システムであって、
第１の操作信号を前記情報処理装置に出力する第１の接続端子と、
前記情報処理装置が起動、終了、ログオン、ログオフのいずれかを実行する第２の操作信号を該情報処理装置に出力する操作信号出力手段と、
前記操作入力手段または前記操作信号出力手段から出力される前記第１および第２の操作信号を前記情報処理装置に出力する第２の接続端子と、
前記第２の接続端子に対して前記第１の接続端子と前記操作信号出力手段との接続を切り替える切り替え手段と、
投入されたコインまたはクレジット情報が記憶されたカードを識別する識別手段から出力されたクレジット信号を受けるクレジット信号入力手段と、
該クレジット信号入力手段からのクレジット信号に応じた前記情報処理装置の操作可能時間を設定し、該操作可能時間まで時間を計時するタイマー手段と、
を備え、
更に、前記クレジット信号に対応して、前記操作信号出力手段と前記第２の接続端子を前記切り替え手段に接続させ、
前記情報処理装置を起動またはログオンさせる操作信号を前記操作信号出力手段から前記情報処理装置に出力させ、
その後に前記第１の接続端子と前記第２の接続端子を前記切り替え手段に接続させ、
前記タイマー手段により前記操作可能時間が経過したときに、前記操作信号出力手段と前記第２の接続端子を前記切り替え手段に接続させ、
前記情報処理装置を終了またはログオフさせる第２の操作信号を前記操作信号出力手段から前記情報処理装置に出力させる切り替え制御手段と、
を備えたことを特徴とする情報処理システム。
【請求項６】
情報処理装置と、前記情報処理装置に操作入力信号を入力する操作入力手段と、該情報処理装置の操作を制御する情報処理装置用制御装置を含む情報処理システムであって、
第１の操作信号を出力する操作入力手段を接続する第１の接続端子と、
前記情報処理装置が再起動を実行する第２の操作信号を前記情報処理装置に出力する操作信号出力手段と、
前記操作入力手段または前記操作信号出力手段から出力される前記第１および第２の操作信号を前記情報処理装置に出力する第２の接続端子と、
前記第２の接続端子に対して前記第１の接続端子と前記操作信号出力手段との接続を切り替える切り替え手段と、
投入されたコインまたはクレジット情報が記憶されたカードを識別する識別手段から出力されたクレジット信号を受けるクレジット信号入力手段と、
該クレジット信号入力手段からのクレジット信号に応じた前記情報処理装置の操作可能時間を設定し、該操作可能時間まで時間を計時するタイマー手段と、
を備え、
更に、前記クレジット信号に対応して、前記第１の接続端子と前記第２の接続端子を前記切り替え手段に接続させ、
前記タイマー手段により前記操作可能時間が経過したときに、前記操作信号出力手段と前記第２の接続端子を前記切り替え手段に接続させ、
前記情報処理装置を再起動させる第２の操作信号を前記操作信号出力手段から前記情報処理装置に出力させる切り替え制御手段と、
を備えたことを特徴とする情報処理システム。
【請求項７】
前記タイマー手段が計時する時間情報を表示する時間情報表示手段を、更に備えたことを特徴とする請求項５または６記載の情報処理システム。
【手続補正２】
【補正対象書類名】明細書
【補正対象項目名】０００６
【補正方法】変更
【補正の内容】
【０００６】
本発明は、操作入力手段から操作入力信号が入力される情報処理装置のための情報処理装置用制御装置であって、前記操作入力信号に対応する疑似操作入力信号を生成し得る疑似操作入力信号生成手段と、前記操作入力手段が接続される第１入力端子と、前記疑似操作入力信号生成手段が接続される第２入力端子と、前記情報処理装置に接続される出力端子と、前記第１入力端子または前記第２入力端子を択一的に前記出力端子に接続する切り替え手段と、前記情報処理装置を使用するための対価を受け入れる対価識別手段が接続され、前記対価識別手段が対価を識別したときに識別信号が入力される対価識別手段接続端子と、前記対価識別手段接続端子から前記識別信号が入力されたときに、前記情報処理装置の操作可能時間を計測するタイマー手段とを備え、前記対価識別手段接続端子から前記識別信号が入力されたときに、前記切り替え手段における第１入力端子を前記出力端子に接続し、前記タイマー手段が前記操作可能時間の終了を検出したときに、前記切り替え手段における第２入力端子を前記出力端子に接続するとともに、前記疑似操作入力信号によって前記情報処理装置の再起動シーケンスを実行し、前記再起動シーケンスの終了後に前記切り替え手段の前記出力端子を開放する。ここに、操作入力手段は例えばキーボードである。
【手続補正３】
【補正対象書類名】明細書
【補正対象項目名】０００８
【補正方法】変更
【補正の内容】
【０００８】
本発明は、第１の操作入力手段から第１の操作入力信号が入力され、第２の操作入力手段から第２の操作入力信号が入力される情報処理装置のための情報処理装置用制御装置であって、前記第１の操作入力信号に対応する疑似操作入力信号を生成し得る疑似操作入力信号生成手段と、前記第１の操作入力手段が接続される第１入力端子と、前記疑似操作入力信号生成手段が接続される第２入力端子と、前記情報処理装置に接続される第１出力端子と、前記第１入力端子または前記第２入力端子を前記第１出力端子に接続する第１の切り替え手段と、前記第２の操作入力手段が接続される第３入力端子と、前記情報処理装置に接続される第２出力端子と、前記第３入力端子と前記第２出力端子との接続と開放を切り替える第２の切り替え手段と、前記情報処理装置を使用するための対価を受け入れる対価識別手段と、前記対価識別手段が接続され、前記対価識別手段が対価を識別したとき識別信号が入力される対価識別手段接続端子と、前記対価識別手段接続端子から前記識別信号入力されたときに、前記情報処理装置の操作可能時間を計測するタイマー手段とを備え、前記対価識別手段接続端子から前記識別信号が入力されたときに、前記第１切り替え手段における第１入力端子を前記第１出力端子に接続するとともに、前記第２切り替え手段の前記第３入力端子と前記第２出力端子とを接続し、前記タイマー手段が前記操作可能時間の終了を検出したときに、前記第２切り替え手段の前記第３入力端子と前記第２出力端子とを開放し、前記第１切り替え手段における第２入力端子を前記第１出力端子に接続するとともに、前記疑似操作入力信号によって前記情報処理装置の再起動シーケンスを実行し、前記再起動シーケンスの終了後に、前記第１切り替え手段の前記第１入力端子および前記第２入力端子と前記第１出力端子を開放する。例えば、第１操作入力手段はキーボードであり、第２操作入力手段はマウスである。
【手続補正４】
【補正対象書類名】明細書
【補正対象項目名】００１２
【補正方法】変更
【補正の内容】
【００１２】
本発明は、情報処理装置と、該情報処理装置の操作を制御する情報処理装置用制御装置を含む情報処理システムであって、第１の操作信号を前記情報処理装置に出力する第１の接続端子と、前記情報処理装置が起動、終了、ログオン、ログオフのいずれかを実行する第２の操作信号を該情報処理装置に出力する操作信号出力手段と、前記操作入力手段または前記操作信号出力手段から出力される前記第１および第２の操作信号を前記情報処理装置に出力する第２の接続端子と、前記第２の接続端子に対して前記第１の接続端子と前記操作信号出力手段との接続を切り替える切り替え手段と、投入されたコインまたはクレジット情報が記憶されたカードを識別する識別手段から出力されたクレジット信号を受けるクレジット信号入力手段と、該クレジット信号入力手段からのクレジット信号に応じた前記情報処理装置の操作可能時間を設定し、該操作可能時間まで時間を計時するタイマー手段とを備え、更に、前記クレジット信号に対応して、前記操作信号出力手段と前記第２の接続端子を前記切り替え手段に接続させ、前記情報処理装置を起動またはログオンさせる操作信号を前記操作信号出力手段から前記情報処理装置に出力させ、その後に前記第１の接続端子と前記第２の接続端子を前記切り替え手段に接続させ、前記タイマー手段により前記操作可能時間が経過したときに、前記操作信号出力手段と前記第２の接続端子を前記切り替え手段に接続させ、前記情報処理装置を終了またはログオフさせる第２の操作信号を前記操作信号出力手段から前記情報処理装置に出力させる切り替え制御手段とを備える。ここに、操作入力手段は例えばキーボードである。
【手続補正５】
【補正対象書類名】明細書
【補正対象項目名】００１４
【補正方法】変更
【補正の内容】
【００１４】
本発明は、情報処理装置と、該情報処理装置の操作を制御する情報処理装置用制御装置を含む情報処理システムであって、第１の操作信号を出力する操作入力手段を接続する第１の接続端子と、前記情報処理装置が再起動を実行する第２の操作信号を前記情報処理装置に出力する操作信号出力手段と、前記操作入力手段または前記操作信号出力手段から出力される前記第１および第２の操作信号を前記情報処理装置に出力する第２の接続端子と、前記第２の接続端子に対して前記第１の接続端子と前記操作信号出力手段との接続を切り替える切り替え手段と、投入されたコインまたはクレジット情報が記憶されたカードを識別する識別手段から出力されたクレジット信号を受けるクレジット信号入力手段と、該クレジット信号入力手段からのクレジット信号に応じた前記情報処理装置の操作可能時間を設定し、該操作可能時間まで時間を計時するタイマー手段とを備え、更に、前記クレジット信号に対応して、前記第１の接続端子と前記第２の接続端子を前記切り替え手段に接続させ、前記タイマー手段により前記操作可能時間が経過したときに、前記操作信号出力手段と前記第２の接続端子を前記切り替え手段に接続させ、前記情報処理装置を再起動させる第２の操作信号を前記操作信号出力手段から前記情報処理装置に出力させる切り替え制御手段とを備える。ここに、操作入力手段は例えばキーボードである。